(57)【要約】      （修正有）【課題】メタルケーブル、光ケーブルの何れのケーブルであっても、コンパクトにまとめて良好に成端し引き込むことができるケーブル引込具を提供する。【解決手段】立設された立上管に、メタルケーブルまたは光ケーブルの引き込み用の機器を取り付けるケーブル引込具である。引込具本体１の本体フレーム１０に、立上管の上部を嵌入し締め付けて固定する管固定部１７が設けられる。光ケーブル用のターミナルボックスを取り付けるためのボックス取付部１１、および入側のメタルケーブル及び光ケーブルを把持する入側ケーブル把持部２５が、本体フレーム１０に設けられる。【選択図】図５
0003212829.tif 000002
【実用新案登録請求の範囲】
【請求項１】
立設された立上管に引込具本体が固定され、メタルケーブル、光ケーブルの引き込み用の機器が該引込具本体に取り付けられるケーブル引込具であって、
該引込具本体の本体フレームに設けられ、該立上管の上部を嵌入し締め付けて固定する管固定部と、
該本体フレーム上に設けられ、光ケーブル用のターミナルボックスを取り付けるためのボックス取付部と、
該本体フレームに設けられ、入側のメタルケーブル及び光ケーブルを把持する入側ケーブル把持部と、
該本体フレームに設けられ、出側のメタルケーブルを把持する出側メタル把持部と、
該引込具本体の上部を覆って、取り外し可能に嵌着されるカバー体と、
を備えたことを特徴とするケーブル引込具。
【請求項２】
前記ボックス取付部の背面側上部に、テンションメンバー固定ネジを有し、入側の光ケーブルを保持する入側光保持部が設けられたことを特徴とする請求項１記載のケーブル引込具。
【請求項３】
前記本体フレームの下側に、テンションメンバー固定ネジを有し、出側の光ケーブルを保持する出側光保持部が設けられたことを特徴とする請求項１記載のケーブル引込具。
【請求項４】
前記引込具本体の本体フレームは、長方形の平板状で周縁部を下側に直角に折り曲げた形状に形成されるとともに、背面側寄りの中央に縦板が下向きに設けられ、該縦板の内側に前記管固定部が取り付けられたことを特徴とする請求項１記載のケーブル引込具。
【請求項５】
前記管固定部の上方の前記本体フレームに、ケーブル挿通用の開口部が形成され、該開口部上側に前記入側ケーブル把持部が設けられたことを特徴とする請求項４記載のケーブル引込具。
【考案の詳細な説明】
【技術分野】
【０００１】
本考案は、主に道路脇などに立設された立上管を通して、光ケーブル、メタルケーブルを引き出し、各住宅などの建物に分配して引き込む際に使用するケーブル引込具に関する。
【背景技術】
【０００２】
電柱に架設された光ケーブルやメタルケーブルを、各住宅などに分配して引き込む場合、通常、電柱の上部或いは下部に設置された引込分配器具を通して、各住宅などに分配される（例えば下記特許文献１を参照）。この引込分配具は、電柱の上部または下部に、専用の取付金具により取り付けられるが、電柱用の取付金具は、構造が複雑化し且つ大型化する課題があった。
【０００３】
一方、光ケーブルやメタルケーブルが地下の共同溝などに敷設され、そこから各住宅などに光ケーブルを分配する場合、道路脇などに立設された立上管から光ケーブルやメタルケーブルが引き出され、立上管に固定した小型キャビネット、保安器、配線クリートなどの引込具を通して、光ケーブルやメタルケーブルは各住宅などに分配され、引き込まれる。
【先行技術文献】
【特許文献】
【０００４】
【特許文献１】特開平１１−１０９１９８号公報
【考案の概要】
【考案が解決しようとする課題】
【０００５】
近年、光ケーブル回線を使用する住宅が増えているものの、現状では、メタルケーブル回線の使用を継続する住宅もある。また、有線通信用のメタルケーブルや光ケーブルは、電柱による架空設備から住宅に引き込む架空引込形態が一般的であったが、近年、地下の共同溝に敷設した光ケーブルやメタルケーブルを各住宅に引き込むようにして、電柱による架空設備をなくす取り組みが増している。
【０００６】
地下の共同溝に光ケーブルやメタルケーブルを敷設した場合、道路脇などに引込分配用の立上管を立設し、共同溝を通して敷設されたメタルケーブルや光ケーブルを、立上管を通して地上に引き出し、当該ケーブルを住宅内まで敷設する工事が行われる。
【０００７】
その際、住宅側の既存のメタルケーブルや光ケーブルは、通常、そのまま使用されて、立上管の上部に取り付けた引込具まで敷設され、引込具内に設けたターミナルボックスやキャビネット内で、地下の共同溝から延びるケーブルと住宅側のケーブルを接続する工事が行われる。
【０００８】
しかし、立上管の上部に取り付けられる従来のケーブル用の引込具は、メタルケーブル用の引込具、光ケーブル用の引込具が別個に製造されており、これらのメタルケーブル用引込具及び光ケーブル用引込具を、現場の状態に合せて使用し、引込線の工事を行っている。このため、引込線の工事の現場には、工事業者が、事前に現場に出向き、メタルケーブルや光ケーブルの敷設状態を見て、現状を把握し、さらに、ユーザーの希望などに応じて、使用する引込具を決めている。
【０００９】
このため、引込線の現場作業を行う作業者は、作業現場を見て、メタルケーブルまたは光ケーブルの何れかの使用を決定し、それらのケーブルに合せた、つまり光ケーブル用引込具またはメタルケーブル用引込具を選択して、立上管の上部などに引込具を別々に固定する工事を行なう必要があり、各引込具の固定位置が各種各様となって、引込具の取付工事が非常に煩雑化し、且つ外観が悪化するとともに、作業効率が悪化する課題があった。
【００１０】
本考案は、上述の課題を解決するものであり、メタルケーブル、光ケーブルの何れのケーブルであっても、コンパクトにまとめて良好に成端し引き込むことができるケーブル引込具を提供することを目的とする。
【課題を解決するための手段】
【００１１】
本考案に係るケーブル引込具は、立設された立上管に、メタルケーブルまたは光ケーブルの引き込み用の機器を取り付けるケーブル引込具であって、
引込具本体の本体フレームに設けられ、該立上管の上部を嵌入し締め付けて固定する管固定部と、
該引込具本体の本体フレームに設けられ、光ケーブル用のターミナルボックスを取り付けるためのボックス取付部と、
該本体フレーム上に設けられ、光ケーブル用のターミナルボックスを取り付けるためのボックス取付部と、
該本体フレームに設けられ、入側のメタルケーブル及び光ケーブルを把持する入側ケーブル把持部と、
該本体フレームに設けられ、出側のメタルケーブルを把持する出側メタル把持部と、
該引込具本体の上部を覆って、取り外し可能に嵌着されるカバー体と、
を備えたことを特徴とする。
【００１２】
このケーブル引込具によれば、立上管の上部を、引込具本体の本体フレームに設けた管固定部に嵌入し、締め付けて固定するのみで、引込具を簡単に立上管の上部に取り付けることができる。さらに、立上管の上部から引き出される入側のメタルケーブル及び光ケーブルは、引込具本体の本体フレームに設けた入側ケーブル把持部により、簡単に把持することができる。また、光ケーブル用のターミナルボックスは、本体フレーム上に設けたボックス取付部に取り付け、引き込まれた光ケーブルの成端を、ターミナルボックスで簡単に行うことができる。
【００１３】
さらに、出側のメタルケーブルは、本体フレームに設けた出側メタル把持部により把持し良好に引き出すことができる。さらに、ターミナルボックスから引き出される出側の光ケーブルは、出側の光ケーブルを保持する出側光保持部を通して保持し、良好に引き出すことができる。
【００１４】
ここで、上記ケーブル引込具において、上記ボックス取付部の背面側上部に、テンションメンバー固定ネジを有した、入側の光ケーブルを保持する入側光保持部を、設けることが好ましい。これによれば、ターミナルボックスに入る入側の光ケーブルを、そのテンションメンバーを固定ネジで固定しつつ、入側光保持部で良好に保持することができる。
【００１５】
またここで、上記本体フレームの下側に、テンションメンバー固定ネジを有した、出側の光ケーブルを保持する出側光保持部を、設けることが好ましい。これによれば、ターミナルボックスから引き出される出側の光ケーブルを、そのテンションメンバーを固定ネジで固定しつつ、出側光保持部で良好に保持することができる。
【００１６】
またここで、上記ケーブル引込具において、上記引込具本体の本体フレームは、長方形の平板状で周縁部を下側に直角に折り曲げた形状に形成されるとともに、背面側寄りの中央に縦板を下向きに設け、縦板の内側に上記管固定部を取り付けた構成とすることができる。
【００１７】
またここで、上記管固定部の上方の上記本体フレームに、ケーブル挿通用の開口部を形成し、開口部上側に上記入側ケーブル把持部を設けた構成とすることができる。
【考案の効果】
【００１８】
この考案のケーブル引込具によれば、立上管からメタルケーブル、光ケーブルを引き出し、建物側から引き込まれたメタルケーブル、光ケーブルを、コンパクトにまとめて良好に成端（接続）し、引込工事を簡便に行うことができる。
【図面の簡単な説明】
【００１９】
【図１】本考案の一実施形態を示し、カバー体を外した状態のケーブル引込具の正面図である。
【図２】同ケーブル引込具の左側面図である。
【図３】同ケーブル引込具の右側面図である。
【図４】同ケーブル引込具の背面図である。
【図５】同ケーブル引込具の斜視図である。
【図６】同ケーブル引込具の背面側から見た斜視図である。
【図７】同ケーブル引込具の平面図である。
【図８】カバー体を引込具本体の本体フレーム上に嵌着した状態の斜視図である。
【図９】ボックス取付部に入側光保持部を取り付け、本体フレームの正面右寄りに出側光保持部を取り付けた例の斜視図である。
【図１０】第１の使用形態を示す正面図（ａ）、右側面図（ｂ）、背面図（ｃ）である。
【図１１】第２の使用形態を示す正面図（ａ）、右側面図（ｂ）、背面図（ｃ）である。
【図１２】第３の使用形態を示す正面図（ａ）、右側面図（ｂ）、背面図（ｃ）である。
【考案を実施するための形態】
【００２０】
以下、本考案の一実施形態を図面に基づいて説明する。このケーブル引込具は、図１〜図８に示すように引込具本体１を有して構成され、道路脇などに立設された立上管５上に、メタルケーブル、光ケーブルの引き込み用の機器を取り付けて、ケーブルの成端（接続）を行う引込具である。
【００２１】
引込具本体１は、図１〜図８に示す如く、本体フレーム１０を主要部として構成され、本体フレーム１０は、長方形金属板の四辺の縁部を、下側に直角に折り曲げ、ケーブル挿通用の複数の開口部を、金属板上に設けて構成される。本体フレーム１０の下部の背面寄りに、縦板１５が垂直に突設され、縦板１５の内側に、立上管５を固定するための管固定部１７が、下側から挿入された立上管５を、締付ネジにより締付固定する。
【００２２】
この本体フレーム１０に設けた管固定部１７を、立上管５に対し締付固定することにより、引込具本体１が立上管５の上部に強固に固定される。縦板１５の下部には、ケーブルを挿通させ保護する保護カバー１９が固定される。
【００２３】
本体フレーム１０上に、板状のボックス取付部１１が、取付ブラケット１２を介して立設される。ボックス取付部１１は、光ケーブルを接続するとともに収納するターミナルボックスＴＢを取り付ける部分であり、ボックス取付部１１にはターミナルボックスＴＢを固定する部位と複数の取付孔（ねじ孔）が設けられる。既製のターミナルボックスＴＢは、各種の構造のものが製造され、使用されているため、各種の既製のターミナルボックスＴＢを取り付け得るように、複数の取付孔が穿設されている。
【００２４】
さらに、図５に示すように、管固定部１７の上方の本体フレーム１０に、メタルケーブル及び光ケーブルを挿通させるための開口部１６が形成され、開口部１６の上側縁部の本体フレーム１０上に、把持金具を有した入側ケーブル把持部２５が設けられる。
【００２５】
立上管５から上方に引き出されたメタルケーブル及び光ケーブルは、開口部１６を通り、入側ケーブル把持部２５内に挿通される。入側ケーブル把持部２５は、可動的に設けた把持金具内に、メタルケーブルを挿入し、把持金具の両側に係合させた締付ネジを締め付けて、メタルケーブルを縦に把持するように構成される。
【００２６】
さらに、図５に示す如く、本体フレーム１０の正面右寄りに、引き出されるメタルケーブルを把持するために、出側メタル把持部２２が設けられる。出側メタル把持部２２は、本体フレーム１０に設けた開口部１８の下側に設けられ、可動的に設けた把持金具内に、メタルケーブルを挿入し、把持金具の両側に係合させた締付ネジを締め付けて、メタルケーブルを縦に把持するように構成される。
【００２７】
図８に示すように、カバー体２が本体フレーム１０上を覆うように被せられる。カバー体２は、例えば合成樹脂により、本体フレーム１０上のボックス取付部１１などを覆うカップ状に成形され、カバー体２の下部周縁部が、本体フレーム１０の四辺の縁部に、密に嵌着されるように形成される。
【００２８】
次に、上記構成のケーブル引込具の使用態様を、図１０、図１１を参照して説明する。立上管５は、道路脇などに立設され、共同溝などの地下に敷設されたメタルケーブル、光ケーブルが、共同溝から立上管５内を通り引き出され、或いは、メタルケーブル、光ケーブルが立上管５内を通り共同溝内に引き込まれる。
【００２９】
ケーブル引込具の引込具本体１は、道路脇などに立設された立上管５の上端部に、管固定部１７により固定される。図１〜図３に示すように、立上管５の上端部は、管固定部１７内に下側から挿入され、両側の締付ネジを締め付け、縦板１５と管固定部１７間で、立上管５の上部を締め付けて固定される。これにより、引込具本体１は、立設された立上管５上に、本体フレーム１０を略水平状態にして、強固に固定される。
【００３０】
このとき、立上管５の上端から引き出されたメタルケーブルＭＣと光ケーブルＰＣは、開口部１６と入側ケーブル把持部２５内を通り、本体フレーム１０の上方に導出される。メタルケーブルＭＣは、例えば１０〜５０対線のケーブルであり、光ケーブルＰＣは、例えば４０心の光ケーブルである。なお、図１０〜図１２は、単線のみのメタルケーブルＭＣと光ケーブルＰＣとして細く図示されるが、実際には、メタルケーブルＭＣは例えば最大５０対のケーブル線が配線され、光ケーブルは例えば最大４０心のケーブル線が配線される。
【００３１】
開口部１６と入側ケーブル把持部２５内を通るメタルケーブルＭＣと光ケーブルＰＣは、入側ケーブル把持部２５に可動的に設けた把持金具を、両側の締付ネジにより適度な締付力で締め付けて、把持される。入側ケーブル把持部２５内を通過した入側のメタルケーブルＭＣと光ケーブルＰＣは、上方のボックス取付部１１側に導入される。
【００３２】
一方、住宅などの建物からは、既存の或いは新たな出側のメタルケーブルＭＣと光ケーブルＰＣまたはその一方が、引込具本体１内に導入される。出側のメタルケーブルＭＣと光ケーブルＰＣは、保護カバー１９の下側から上に向けて導入される。出側のメタルケーブルＭＣの端部は、図１０に示すように、保護カバー１９内を通り、本体フレーム１０上の開口部を下から上に通り、上方に導入される。また、出側の光ケーブルＰＣの端部は、保護カバー１９に取り付けたケーブル保持部を通して、上方のボックス取付部１１側に導入される。
【００３３】
一方、図１１に示す形態では、出側のメタルケーブルＭＣは、出側メタル把持部２２内を下から上に挿通され、可動的に設けた把持金具を、両側の締付ネジにより適度な締付力で締め付けて、出側メタル把持部２２に、把持される。出側のメタルケーブルＭＣの端部は、入側のメタルケーブルＭＣの端部に対し、所定のコネクタを介して、本体フレーム１０の上方で接続される。
【００３４】
また、出側の光ケーブルと入側の光ケーブルの端部は、ターミナルボックスＴＢ内で、専用のコネクタを介して接続され、ボックス内に収納される。出側の光ケーブルと入側の光ケーブルを接続し収納したターミナルボックスＴＢは、ボックス取付部１１の正面側に固定ネジなどで固定される。
【００３５】
このように、上記構成のケーブル引込具を、立上管５の上部に固定すれば、立上管５を通して導入されたメタルケーブルＭＣと光ケーブルＰＣの両方を、１個の引込具により、簡便に引き込み、成端（接続）することができる。したがって、従来のように工事現場を予め下見し打ち合わせて使用する引込具を選択する作業等が非常に短縮され、効率良くケーブルの引込工事を行うことができる。
【００３６】
勿論、引き込むケーブルがメタルケーブルＭＣのみであっても、或いは光ケーブルＰＣのみであっても、引込具本体１内に引き込んで、接続することができるので、メタルケーブルＭＣから光ケーブルＰＣに切り換える場合でも、本ケーブル引込具を使用して、簡便に効率良く引込工事を行なうことができる。
【００３７】
図１２は、他の実施形態のケーブル引込具の使用形態を示している。この図１２の例では、図９に示すように、ボックス取付部１１の上部背面側に、テンションメンバー固定ネジ２７を有した入側光保持部２６が設けられる。
【００３８】
入側光保持部２６には、例えば結束バンドが取り付けられ、入側ケーブル把持部２５横を下から上に通過した入側の光ケーブルＰＣが、結束バンドなどにより保持され、導入される。また、入側光保持部２６に、テンションメンバー固定ネジ２７が設けられるので、光ケーブルＰＣ内のテンションメンバーはこの固定ネジ２７により固定することができる。
【００３９】
また、図１２（ａ）に示すように、本体フレーム１０の正面右寄りに、テンションメンバー固定ネジ２８を有し、出側の光ケーブルＰＣを保持する出側光保持部２３が、取り付けられる。出側光保持部２３には、例えば結束バンドが取り付けられ、ボックス取付部１１から下方に引き出された出側の光ケーブルＰＣが、結束バンドなどにより保持され、導出される。入側光保持部２６に、テンションメンバー固定ネジ２８が設けられるので、光ケーブルＰＣ内のテンションメンバーはこの固定ネジ２８により固定される。
【００４０】
図１２に示す形態では、出側のメタルケーブルＭＣは、保護カバー１９内を下から上に挿通され、本体フレーム１０の上方に導入され、そのメタルケーブルＭＣの端部は、立上管５を通して導入された入側のメタルケーブルＭＣの端部と所定のコネクタを介して、本体フレーム１０の上方で接続される。
【００４１】
また、ボックス取付部１１から下方に引き出された出側の光ケーブルＰＣは、出側光保持部２３に結束バンドなどにより保持され、導出される。出側光保持部２３に、テンションメンバー固定ネジ２８が設けられるので、光ケーブルＰＣ内のテンションメンバーはこの固定ネジ２８により固定することができる。出側の光ケーブルと入側の光ケーブルの端部は、ターミナルボックスＴＢ内で、専用のコネクタを介して接続され、ボックス内に収納される。出側の光ケーブルと入側の光ケーブルを接続し収納したターミナルボックスＴＢは、ボックス取付部１１の正面側に固定ネジなどで固定される。
【００４２】
なお、上記実施形態では、立上管５の上部に、本ケーブル引込具を固定したが、管用の管固定部１７が設けてあるので、同じ外径の短管に、壁面固定部を設けた壁面取付金物を用意しておけば、その壁面取付金物を用いて、本ケーブル引込具を、建物の壁面に固定することもできる。
【００４３】
また、管固定部１７の内径と立上管５の外径が相違する場合、引込具本体１を適正に立上管５に固定することが難しいが、外径の異なる２本の管を段状に接続したアダプタを用意しておけば、外径の異なる立上管５であっても、本ケーブル引込具を適用することができる。
【符号の説明】
【００４４】
１      引込具本体
２      カバー体
５      立上管
１０    本体フレーム
１１    ボックス取付部
１２    取付ブラケット
１５    縦板
１６    開口部
１７    管固定部
１８    開口部
１９    保護カバー
２２    出側メタル把持部
２３    出側光保持部
２５    入側ケーブル把持部
２６    入側光保持部
２７    テンションメンバー固定ネジ
２８    テンションメンバー固定ネジ
ＭＣ    メタルケーブル
ＰＣ    光ケーブル
ＴＢ    ターミナルボックス
【図１】
0003212829.tif 000003
【図２】
0003212829.tif 000004
【図３】
0003212829.tif 000005
【図４】
0003212829.tif 000006
【図５】
0003212829.tif 000007
【図６】
0003212829.tif 000008
【図７】
0003212829.tif 000009
【図８】
0003212829.tif 000010
【図９】
0003212829.tif 000011
【図１０】
0003212829.tif 000012
【図１１】
0003212829.tif 000013
【図１２】
0003212829.tif 000014